(57)【特許請求の範囲】
【請求項１】
イメージセンサと、
表示部と、
前記イメージセンサから出力された出力データを前記表示部に表示可能な画像データに変換する処理部とを備え、
前記処理部は、前記出力データを所定ライン単位の画像データに変換して出力するとともに、前記所定ライン単位の画像データの書き込みタイミングを示すタイミング信号を出力し、
前記表示部は、画素を備え、前記画素に前記所定ライン単位の画像データを前記タイミング信号に応じた水平同期期間の内で書き込みを行い、
前記水平同期期間は、前記処理部が、前記所定ライン単位の画像データを変換するのに要する時間以上の長さを有する
ことを特徴とするカメラ。
【請求項２】
前記タイミング信号は、前記所定ライン単位の画像データの準備に応じたタイミングである
ことを特徴とする請求項１に記載のカメラ。
【請求項３】
表示部と、画像データを前記表示部に表示可能な画像データに変換する処理部とを備えた表示装置であって、
前記処理部は、前記画像データを所定ライン単位の画像データに変換して出力するとともに、前記所定ライン単位の画像データの書き込みタイミングを示すタイミング信号を出力し、
前記表示部は、画素を備え、前記画素に前記所定ライン単位の画像データを前記タイミング信号に応じた水平同期期間の内で書き込みを行い、
前記水平同期期間は、前記処理部が、前記所定ライン単位の画像データを変換するのに要する時間以上の長さを有する
ことを特徴とする表示装置。
【請求項４】
前記タイミング信号は、前記所定ライン単位の画像データの準備に応じたタイミングである
ことを特徴とする請求項３に記載の表示装置。
【請求項５】
表示装置とともに用いられ、画像データを前記表示装置に表示可能な画像データに変換する画像処理装置であって、
前記画像処理装置は、前記画像データを所定ライン単位の画像データに変換して出力するとともに、前記所定ライン単位の画像データの書き込みタイミングを示すタイミング信号を出力し、
前記タイミング信号は、前記表示装置において、前記所定ライン単位の画像データを画素に書き込む水平同期期間を制御し、
前記タイミング信号に基づく水平同期期間は、前記画像処理装置が、前記所定ライン単位の画像データを変換するのに要する時間以上の長さを有する
ことを特徴とする画像処理装置。
【発明の詳細な説明】
【技術分野】
【０００１】
本発明は、表示部に被写体の像を表示する撮影装置に関する。
【背景技術】
【０００２】
従来、撮影センサーで撮影した画像を液晶ディスプレイで表示する撮影装置が知られており、液晶ディスプレイにおいて被写体の像が被写体から遅延して表示されることを防止するために各種の技術が開発されている。例えば、特許文献１には、１フレーム分の画像信号を記録するＶＲＡＭを備える撮影装置において、ＶＲＡＭに対して１フレーム分の画像信号の書き込みが完了する前に画像信号を読み出して液晶ディスプレイで表示させる技術が開示されている。具体的には、撮影センサーの駆動タイミングからΔＴだけ遅延した再生タイミングで液晶ディスプレイでの画像表示を開始する構成が記述されている。
【先行技術文献】
【特許文献】
【０００３】
【特許文献１】特開２００７−２４３６１５号公報
【発明の概要】
【発明が解決しようとする課題】
【０００４】
特許文献１の技術において、駆動タイミング及び再生タイミングの周期は１フレームの画像を処理するための周期であり、各フレームに対して一定のΔＴが定義される。すなわち、特許文献１の技術では、モードごとにΔＴを定義することが記述され（特許文献１、００５７段落）、また、ΔＴは、画像データの読み出しが書き込みに先行しないように決められることが記述されている（特許文献１、００５５，００５６段落）。従って、モードごとに変動し得るものの、同一モードにおいてΔＴは、各フレームに対して共通の値であり、表示対象となる画像の全ラインについて共通の位相差ΔＴが与えられていることになる。
【０００５】
しかし、表示部には、撮影センサーの出力データに基づいて生成される被写体の像や撮影条件等の情報など、種々の表示対象が表示され得る。そして、表示部に表示される表示対象の種類が異なると、当該表示対象を生成するために要する期間が異なり得る。このため、共通の位相差ΔＴを設けることによって表示対象となる１フレーム分の画像を示す画像データの読み出しが書き込みに先行しないようにするためには、当該読み出しの先行が発生しないように余裕を持ってΔＴを定義する必要がある。例えば、表示対象を生成するために要する期間として想定し得る最も長い期間をΔＴとして定義するなどの配慮が必要になる。従って、表示対象を生成するために要する期間が表示対象ごとに変動し得る構成において、早期に生成可能な表示対象については表示開始までに無駄な遅延が発生し得る。
本発明は上記課題にかんがみてなされたもので、表示部における表示遅延を短縮することを目的とする。
【課題を解決するための手段】
【０００６】
上記目的を達成するため、本発明においては、撮影センサー（エリアイメージセンサー）の出力データに基づいて被写体の像を示す画像データの生成処理を行い、生成された画像データに基づいて表示部の被写体像表示領域に被写体の像を表示させる。また、情報データに基づいて表示部の情報表示領域に当該情報データが示す所定の情報を表示させる。このとき、情報表示領域では、被写体像表示領域よりもラインごとの表示更新に費やすライン表示期間が短くなるように制御される。
【０００７】
すなわち、撮影センサーの出力データに基づく被写体の像の表示が可能であるか否かは、画像データの生成処理の進捗に依存する。一方、情報表示領域への表示対象は所定の情報であって、予め表示され得る情報が特定される。従って、表示開始前にメモリに対して情報データを記録しておくことが可能であり、当該メモリに対する情報データの記録が完了すれば、当該メモリを参照して情報データを逐次取得することで表示部における表示が可能になる。このため、情報データが示す情報を情報表示領域へ表示する際に、情報データの生成処理が完了するまで待つなどの待機期間を設ける必要はなく、情報表示領域で実行可能な限り高速に表示することが可能である。そこで、本発明において少なくとも情報表示領域においては、被写体像表示領域よりもラインごとの表示更新に費やすライン表示期間を短期化する構成とした。この構成により、少なくとも情報表示領域における無駄な遅延を抑制することが可能になり、表示部における表示遅延を短縮することが可能である。
【０００８】
ここで、画像データ生成部は、撮影センサーの出力データに基づいて被写体の像を示す画像データを生成することができればよく、表示部において当該画像データに基づいて被写体の像を表示することができればよい。画像データの生成処理は、任意の種類の画像処理によって構成可能であり、撮影センサーの出力データや撮影装置におけるモード、撮影条件等に応じて処理に要する期間が変動してもよい。また、処理に要する期間が不明であっても良い。
【０００９】
情報データ取得部は、情報表示領域に所定の情報を表示させるための情報データを取得することができればよい。すなわち、表示制御部において情報表示領域における表示を開始する時点において待機期間を設けることなくメモリから情報データが取得できるように予めメモリに記録された情報データを取得できるように構成されていればよい。なお、待機期間を設けることなくメモリから情報データが取得できるように構成できる限りにおいて、所定の情報はアニメーション等の動画（フレーム毎では静止画であるがフレームの変化に伴って表示内容が変化する画像）を示す情報であっても良い。
【００１０】
表示制御部は、表示部の領域ごとに異なるライン表示期間を費やしてラインごとの表示更新を行って表示部に被写体の像と所定の情報とを表示することができればよい。例えば、予め決められた領域を被写体の像を表示する被写体像表示領域とし、当該被写体像表示領域以外の領域を情報表示領域とし、後者におけるライン表示期間を前者におけるライン表示期間よりも短くすることができればよい。
【００１１】
ライン表示期間の短期化は、種々の手法によって実現可能であり、各領域におけるライン表示期間は固定の期間であってもよいし変動し得る期間であっても良い。また、各領域の大きさも固定されていても良いし変動しても良い。ライン表示期間は、１フレーム分の像を表示し、所定期間後に書き換えることで動画あるいは静止画の表示を行う表示部において、１ライン分の表示更新に費やす期間であり、例えば、水平同期信号に同期して１ライン分の表示更新の処理を行う表示部においては、水平同期信号によって規定される水平同期期間がライン表示期間に相当する。
【００１２】
さらに、画像データに基づく表示を行う際の表示遅延を最小化しても良い。例えば、ラインごとに画像データの生成処理の進捗を示す進捗情報を取得し、進捗情報によって画像データの生成処理が終了したことが特定されたラインを順次被写体像表示領域に表示させる構成とする。この構成によれば、画像データの生成処理に要する期間がラインごとに変動し得る構成において、当該画像データに基づいて被写体像表示領域に被写体の像を表示する際にライン単位での表示遅延を最小化することが可能である。そして、当該表示遅延の最小化と情報表示領域におけるライン表示期間の短期化とを組み合わせることによって表示部において１フレームの画像を表示するために要する期間を短縮することが可能である。
【００１３】
さらに、情報表示領域におけるライン表示期間の短期化を利用して表示部にて１フレームの画像を表示するために要する期間が一定となるように構成してもよい。この構成は、例えば、基準の期間を想定することによって実現可能である。すなわち、ライン表示期間の基準となる期間を基準の期間として予め定義しておく、そして、被写体像表示領域におけるライン表示期間の基準の期間に対する遅延が、情報表示領域におけるライン表示期間の短期化によって解消するように構成する。この構成は、例えば、上述の遅延の総和を情報表示領域のライン数で除した値を基準の期間から減じた値が情報表示領域におけるライン表示期間の上限値となるようにライン表示期間を短期化することによって実現可能である。この構成によれば、各ラインにおいて基準の期間を費やして表示更新を行う通常の表示部において１フレームの画像を表示するために要する期間以下の期間にて本発明にかかる表示部で１フレームの画像を表示することが可能になる。
【００１４】
なお、基準の期間は、被写体像表示領域および情報表示領域においてライン表示期間と比較され得る期間として定義されていればよく、例えば、１フレームの画像を表示するための期間（例えば、垂直同期期間）内に、表示部のライン数分の表示を行うために必要な期間として規定される一定の水平同期期間を基準の期間とする構成等を採用可能である。
【００１５】
さらに、被写体像表示領域におけるライン表示期間の基準の期間に対する遅延に基づいて情報表示領域におけるライン表示期間を短期化する量を決定する際に好適な構成として、ラインが並ぶ方向に連続した１つの領域によって被写体像表示領域が構成されるとともに、１フレーム分の表示を行う際に、被写体像表示領域における表示を線順次に連続的に実施し、被写体像表示領域における表示後に情報表示領域における表示を線順次に連続的に実施する構成を採用しても良い。すなわち、１フレーム分の表示を行う際に、被写体像表示領域の一方の端に位置するラインから線順次に表示を行い、被写体像表示領域の他方の端に位置するラインの表示後、当該被写体像表示領域の他方の端に隣接するラインから情報表示領域の各ラインを線順次に表示する。
【００１６】
この構成によれば、被写体像表示領域における表示後に情報表示領域における表示を行うことが可能になり、情報表示領域においてライン表示期間を短期化する量を容易に特定可能になる。なお、被写体像表示領域の端部は表示部の端部と一致していても良いし、一致していなくても良い。例えば、被写体像表示領域の上端と表示部の上端とが一致し、被写体像表示領域の下端が表示部の下端より上方に位置している場合、表示部の上端から下端まで線順次に表示を行うことによって被写体像表示領域における表示後に情報表示領域における表示を行うことが可能である。また、被写体像表示領域の上端が表示部の上端よりも下方に位置し、被写体像表示領域の下端が表示部の下端より上方に位置している場合（被写体像表示領域の上下に情報表示領域が存在する場合）、表示部の上端ではなく被写体像表示領域の上端から表示を開始し、被写体像表示領域の下端まで表示を行う。さらに、被写体像表示領域の下端に隣接する情報表示領域のラインについて表示を行って、以下下方に向けて線順次に行う。表示部の下端まで表示を行うと、さらに、表示部の上端から残りの情報表示領域の下端まで線順次に表示を行う。この構成においても、被写体像表示領域における表示後に情報表示領域における表示を行うことが可能である。
【００１７】
さらに、本発明のように、情報表示領域において被写体像表示領域よりもラインごとの表示更新に費やすライン表示期間を短期化する手法は、プログラムや方法としても適用可能である。また、以上のような装置、プログラム、方法は、単独の装置として実現される場合もあれば、複合的な機能を有する装置において共有の部品を利用して実現される場合もあり、各種の態様を含むものである。
【図面の簡単な説明】
【００１８】
【図１】本発明の実施形態にかかるブロック図である。
【図２】エリアイメージセンサーと液晶パネルの画素数を示す図である。
【図３】エリアイメージセンサーの出力データの出力法を例示する図である。
【図４】本実施形態にかかる表示部に印加される信号のタイミングチャートである。
【図５】本発明の他の実施形態にかかるタイミングチャートである。
【図６】本発明の他の実施形態にかかるブロック図である。
【発明を実施するための形態】
【００１９】
ここでは、下記の順序に従って本発明の実施の形態について説明する。
（１）撮影装置の構成：
（２）水平同期信号の制御：
（３）他の実施形態：
【００２０】
（１）撮影装置の構成：
図１は本発明の一実施形態にかかる撮影装置１には、光学系１０、エリアイメージセンサー１５、ＡＳＩＣ２００、タイミングジェネレーター３０、表示部４０、ＣＰＵ５０、ＶＲＡＭ５１、ＳＤ−ＲＡＭ５２、ＲＯＭ５３、ＲＡＭ５４、操作部５５が備えられている。ＣＰＵ５０は、ＶＲＡＭ５１、ＳＤ−ＲＡＭ５２、ＲＡＭ５４を適宜利用してＲＯＭ５３に記録されたプログラムを実行可能であり、当該プログラムによりＣＰＵ５０は、操作部５５に対する操作に応じてエリアイメージセンサー１５にて撮影された被写体を示す画像データを生成する機能を実行する。なお、操作部５５はシャッターボタンと、モードを切り換えるためのモード切換手段としてのダイヤルスイッチと、絞りとシャッター速度を切り換えるためのダイヤルスイッチと、各種の設定メニューを操作するためのプッシュボタンとを備えており、利用者は当該操作部５５に対する操作によって撮影装置１に対して各種の指示を与えることができる。
【００２１】
表示部４０は、撮影対象となる被写体を示す画像を表示して利用者に撮影前の被写体の様子および撮影条件等の情報を把握させるＥＶＦ（Electronic View Finder）であり、本実施形態にかかる撮影装置１はＥＶＦを備えたミラーレスデジタルカメラである。表示部４０は、図示しないインターフェース回路、液晶パネルドライバー４１、液晶パネル４２、図示しない接眼レンズ等を備えている。本実施形態において液晶パネル４２は、画素ごとに３色のカラーフィルターに対応する３つのサブピクセルを備える高温ポリシリコンＴＦＴ（Thin Film Transistor）であり、画素の位置は直交座標系における座標で規定される。また、一方の座標軸に平行な方向に並ぶ複数の画素によってラインが構成され、複数のラインが他方の座標軸に平行な方向に並ぶように構成されている。本明細書では、ラインに平行な方向を水平方向、ラインに垂直な方向を垂直方向と呼び、液晶パネル４２の全画素によって構成される１画面を１フレームと呼ぶ。
【００２２】
液晶パネルドライバー４１は、各サブピクセルに電圧を印加して液晶を駆動するための信号を液晶パネル４２に対して出力する。液晶パネル４２は、図示しないゲートドライバおよびソースドライバを備えており、液晶パネルドライバー４１から出力される信号に応じてゲートドライバが各ラインの各画素における表示タイミングを制御し、ソースドライバが表示タイミングとされているラインの各画素に対して各画素の画像データに対応した電圧を印加することによって表示を行う。すなわち、液晶パネルドライバー４１は、液晶パネル４２における表示を行うための各種信号、例えば、１フレーム分の表示を行うための期間を規定する垂直同期信号（DVsync）、１ライン分の表示を行うための期間を規定する水平同期信号（DHsync）、各ライン内での画像データの取り込み期間を規定するデータアクティブ信号（DDactive）、各画素の画像データの取り込みタイミング等を規定するデータクロック信号（DDotclock）、各画素の画像データ（Data）を出力するように構成されている。
【００２３】
なお、本実施形態にかかる撮影装置１は、タイミングジェネレーター３０を備えており、上述の垂直同期信号DVsync、水平同期信号DHsync、データアクティブ信号DDactive、データクロック信号DDotclockは当該タイミングジェネレーター３０によって生成される。すなわち、タイミングジェネレーター３０は、クロック信号発生手段から出力される所定周期のクロック信号の変化タイミングに同期して信号レベルが変化する信号を生成する分周回路等を備えた表示制御部３０ｂを備えている。そして、タイミングジェネレーター３０は、表示制御部３０ｂの制御により、予め決められたタイミングで信号レベルが変化する垂直同期信号DVsync、データアクティブ信号DDactive、データクロック信号DDotclockを生成する。なお、本実施形態において水平同期信号DHsyncの出力タイミングは可変であり、後述するようにリサイズ処理部２０ｅの処理結果に依存して出力タイミングが決定される。
【００２４】
また、本実施形態における液晶パネル４２は、水平方向に１０２４個、垂直方向に７６８個の有効画素を備えた画素数がＸＧＡサイズのパネルであり、液晶パネルドライバー４１が出力する画像データDataの内容および出力タイミングを調整することによって、任意の位置にDataに対応した階調の表示を行うことができる。本実施形態においては、液晶パネル４２の予め決められた被写体像表示領域にエリアイメージセンサー１５の出力データに基づいて被写体の画像を表示し、また、当該被写体像表示領域以外の情報表示領域に撮影条件等の情報を示す文字を表示する構成となっている。すなわち、液晶パネル４２には、被写体の画像とともに撮影条件等の情報を示す文字がＯＳＤ（On Screen Display）表示される。なお、液晶パネル４２は水平方向および垂直方向に有効画素よりも多数の画素を備えているが、本明細書では簡単のため有効画素以外の画素に関する処理は省略して説明する。
【００２５】
光学系１０は、エリアイメージセンサー１５に被写体の像を結像させるレンズ１１、絞り１２、シャッター１３およびローパスフィルター１４を備える。このうち、レンズ１１と絞り１２とは図示しない筐体に交換可能に取り付けられる。エリアイメージセンサー１５としては、ベイヤー配列されたカラーフィルターと、光量に応じた電荷を光電変換によって画素ごとに蓄積する複数のフォトダイオードとを備えるＣＭＯＳ（Complementary Metal Oxide Semiconductor）イメージセンサー、ＣＣＤ（Charge Coupled Device）イメージセンサー等の固体撮像素子が用いられる。エリアイメージセンサー１５の画素の位置は直交座標系における座標で規定され、一方の座標軸に平行な方向に並ぶ複数の画素によってラインが構成され、複数のラインが他方の座標軸に平行な方向に並ぶように構成されている。本明細書では、ラインに平行な方向を水平方向、ラインに垂直な方向を垂直方向と呼ぶ。エリアイメージセンサー１５の全画素によって構成される１画面を１フレームと呼ぶ。
【００２６】
本実施形態においては、エリアイメージセンサー１５もタイミングジェネレーター３０が出力する各種信号に同期した動作を行う。すなわち、タイミングジェネレーター３０は、１フレーム分のフォトダイオードの検出結果を読み出すための期間を規定する垂直同期信号（SVsync）、１ライン分のフォトダイオードの検出結果を読み出すための期間を規定する水平同期信号（SHsync）、各画素の画像データの読み出しタイミング等を規定するデータクロック信号（SDotclock）を出力する。エリアイメージセンサー１５は、垂直同期信号SVsyncに応じて１フレーム分の出力データの出力を開始し、水平同期信号SHsyncにて規定される期間内にデータクロック信号SDotclockに応じたタイミングでエリアイメージセンサー１５の一部の画素に対応するフォトダイオードの検出結果を示す出力データを逐次読み出す。
【００２７】
ＡＳＩＣ２００は、ＳＤ−ＲＡＭ５２に予め確保された複数ライン分のラインバッファー５２ａ〜５２ｄを利用し、表示部４０にて被写体の像を表示するための画像データをパイプライン処理によって生成する処理を行う回路によって構成される画像データ生成部２０を備えている。なお、複数ライン分のラインバッファー５２ａ〜５２ｄは画像データ生成部２０などに設けられていても良い。表示部４０は生成された画像データに基づいて被写体を液晶パネル４２に対して表示する。すなわち、利用者は、表示部４０をＥＶＦとして利用しながら被写体を確認することが可能である。
【００２８】
また、利用者が操作部５５を操作して撮影指示を行った場合には、撮影指示に応じてエリアイメージセンサー１５は、垂直同期信号SVsyncに応じて１フレーム分の出力データの出力を開始し、水平同期信号SHsyncにて規定される期間内にデータクロック信号SDotclockに応じたタイミングでエリアイメージセンサー１５の全有効画素に対応するフォトダイオードの検出結果を示す出力データを逐次読み出す。そして画像データ生成部２０は、ＳＤ−ＲＡＭ５２等を利用しＪＰＥＧ等の形式の画像データを生成して図示しないリムーバブルメモリ等に記録される。すなわち、利用者は、被写体を示す画像データを生成することが可能である。
【００２９】
（２）水平同期信号の制御：
被写体を示す画像データをリムーバブルメモリ等に記録し、印刷すること等を考慮した場合、高品質の画像データを得るためにはエリアイメージセンサー１５の画素数が所定数より多いことが望まれる。そこで、本実施形態におけるエリアイメージセンサー１５の有効画素数は図２に示すように、水平方向に５４００画素、垂直方向に３６００画素となっている。エリアイメージセンサー１５は水平方向および垂直方向に有効画素よりも多数の画素を備えているが、本明細書では簡単のため有効画素以外の画素に関する処理は省略して説明する。
【００３０】
一方、上述のように、液晶パネル４２は水平方向に１０２４個、垂直方向に７６８個の画素を備え、被写体像表示領域（図２に示すＲ1）に被写体の画像を表示する構成となっている。本実施形態においては、エリアイメージセンサー１５の縦横比（２：３）を維持したままできるだけ大きく被写体の画像を表示するため、液晶パネル４２の上辺および左右の辺に対して上辺及び左右の辺が接する縦横比２：３の矩形領域を被写体の画像を表示する被写体像表示領域Ｒ1としている。また、残りの領域が撮影条件等の情報を示す文字を表示する情報表示領域（図２に示す領域）である。従って、液晶パネル４２における被写体像表示領域Ｒ1は、水平方向に１０２４個、垂直方向に６８２個の画素にて構成される。以上のように、本実施形態においては、エリアイメージセンサー１５の画素数と液晶パネル４２の画素数とは一致していない。
【００３１】
さらに、表示部４０における表示は利用者による被写体の確認に利用されるため、エリアイメージセンサー１５にて被写体が撮影されたタイミングから表示部４０にて当該撮影された被写体の像が表示されるタイミングまでの遅延が利用者によって認識可能な程度の長さであると、ＥＶＦで視認した被写体と記録される被写体の像とがずれるなど、極めて使いづらいＥＶＦとなってしまう。従って、表示部４０がＥＶＦとして利用される際には、遅延が少ないことが要求される。
【００３２】
そこで、エリアイメージセンサー１５にて撮影した画像を人間が視認できない極めて短い遅延にて表示部４０に表示させるため、本実施形態においては、エリアイメージセンサー１５および画像データ生成部２０で各種の処理を行い、表示部４０は、この処理の結果生成された画像データを高速に表示させるための構成を備えている。
【００３３】
すなわち、本実施形態にかかるエリアイメージセンサー１５は、垂直方向に並ぶラインのうちｎ個（ｎは奇数）に１個の割合でフォトダイオードの検出結果を読み出す飛び越し走査を実行可能な回路が設けられている。また、同色のカラーフィルターを介して光電変換を行うフォトダイオードのうち水平方向に並ぶｍ個（ｍは自然数）の検出結果を加算してその和をｍ分の１にして（すなわちｍ個の検出結果の相加平均を）出力するための加算器が設けられている。本実施形態において、表示部４０をＥＶＦとして機能させる際、エリアイメージセンサー１５においては、飛び越し走査および加算器による処理を実行することにより、水平方向および垂直方向の画素を間引き、エリアイメージセンサー１５が備える画素数よりも少ない画素数の出力データを出力することで、高速に被写体を撮影する構成としている。
【００３４】
すなわち、エリアイメージセンサー１５は、表示部４０をＥＶＦとして機能させるライブビューモードにおいて、ｎ個に１個の割合で垂直方向のラインを読み出し対象とした読み出しを水平同期信号SHsyncに応じて行う。また、ｍ個のフォトダイオードの検出結果を加算器で加算した結果を出力データとして出力する処理をデータクロック信号SDotclockに応じて行う。図３は、本実施形態においてエリアイメージセンサー１５が備える画素数よりも少ない画素数の出力データを出力する方法の一例を示している。同図３において、Ｒが付された矩形は赤の帯域の光を透過するカラーフィルターに対応するフォトダイオードを示し、Ｇが付された矩形は緑の帯域の光を透過するカラーフィルターに対応するフォトダイオードを示し、Ｂが付された矩形は青の帯域の光を透過するカラーフィルターに対応するフォトダイオードを示している。
【００３５】
同図３に示すように、矩形で示す各画素のカラーフィルターがベイヤー配列である場合、各画素に１色のカラーフィルターのみが対応しているため、各画素の色は周囲の画素を利用して補間する必要がある。このため、ラインを間引いて出力データを取得する際に、間引き後に隣接するラインのカラーフィルターが異なる色となるように間引きを行う必要がある。このため、本実施形態においては、ｎを奇数とし、ｎラインに１ラインの割合で各ラインのフォトダイオードでの検出値を出力データとして取得すれば、補間によって各画素の色を特定可能な出力データを取得することができる。本実施形態においては、エリアイメージセンサー１５の垂直方向のライン数をできるだけ液晶パネル４２の被写体像表示領域Ｒ1の垂直方向のライン数に近づけるため、５ラインに１ラインの割合で出力データを取得する構成としている。図３においては、５ラインに１ラインの割合で出力データを取得することを左向きの矢印で示しており、この例においては垂直方向のライン数が１／５、すなわち、７２０となる。
【００３６】
さらに、カラーフィルターがベイヤー配列である場合、水平方向に隣接する画素の色は異なるとともに、１個おきに同色のカラーフィルターが並ぶことになる。このため、水平方向に並ぶ画素について１個おきにｍ個加算しその和をｍ分の１にすることで（すなわちｍ個の検出結果の相加平均を求めることで）実質的に間引き処理を行うことができる。本実施形態においては、加算器による加算を行った場合の画質上の制約等により、ｍを３と設定している。図３においては、最も下に記したラインのうち、緑色のカラーフィルターを介して光電変換を行うフォトダイオードであって水平方向に並ぶ３個のフォトダイオード検出結果を加算器Ｓ1によって加算して１／３にし、赤色のカラーフィルターを介して光電変換を行うフォトダイオードであって水平方向に並ぶ３個のフォトダイオードの検出結果を加算器Ｓ2によって加算して１／３にする構成を示している。この例においては水平方向の画素数が１／３、すなわち、１８００画素となる。図２には、エリアイメージセンサー１５における間引き後のデータサイズを破線の矩形１５ａによって示している。
【００３７】
以上のように、エリアイメージセンサー１５においては、垂直方向のライン数を７２０ライン、水平方向の画素数を１８００画素とすることができる。しかし、このような間引きにおいては、垂直方向においてｎが奇数であり、水平方向においてｍが自然数である等画質上の制約があるため、間引き後の画素数と液晶パネル４２の被写体像表示領域Ｒ1の画素数とを一致させることは困難である。また、上述のようにｎとｍとが異なる場合には縦横比が被写体と液晶パネル４２の被写体像とで異なるものになってしまう。
【００３８】
そこで、本実施形態においては、画像データ生成部２０において、間引き後の出力データに対してさらにリサイズを行って液晶パネル４２の被写体像表示領域Ｒ1に表示させるための画像データを生成する構成としている。すなわち、画像データ生成部２０は、画素補間部２０ａ、色再現処理部２０ｂ、フィルター処理部２０ｃ、ガンマ補正部２０ｄ、リサイズ処理部２０ｅを備えている。そして、画像データを生成する過程でリサイズ処理部２０ｅによって垂直方向および水平方向の画素数を変更することにより、液晶パネル４２の被写体像表示領域Ｒ1の画素数と等しい画像データを生成する構成としている。
【００３９】
ラインバッファー５２ａは、エリアイメージセンサー１５から出力される間引き後の出力データを一時記録するバッファーメモリであり、エリアイメージセンサー１５から間引き後の出力データが出力されると画像データ生成部２０の処理によって当該出力データがラインバッファー５２ａに一時記録される。画素補間部２０ａは、ラインバッファー５２ａからベイヤー配列において各画素で欠落している２チャネルの色を生成するために必要な画素数のデータを取り込みながら補間処理によって当該２チャネルの色を生成する。この結果、各画素において３チャネルのデータが生成される。次に、色再現処理部２０ｂは、生成されたデータに基づいて３×３の行列演算を行うことによってカラーマッチングのための色変換処理を行う。色変換処理によって生成されたデータはラインバッファー５２ｂに一時記録される。次にフィルター処理部２０ｃは、シャープネス調整やノイズ除去処理などをフィルター処理によって実行する。次にガンマ補正部２０ｄはエリアイメージセンサー１５の出力データの階調値が示す色と表示部４０で扱う画像データの階調値が示す色との特性差を補償するガンマ補正を実行する。ガンマ補正によって生成されたデータはラインバッファー５２ｃに一時記録される。
【００４０】
当該ラインバッファー５２ｃに線順次で記録されていくデータはエリアイメージセンサー１５において間引きが行われた画素数である。すなわち、垂直方向に７２０ライン、水平方向に１８００画素のデータが線順次で記録されていくことになる。リサイズ処理部２０ｅは当該ラインバッファー５２ｃに記録されていくデータを逐次参照して補間演算処理を行い、画素の間の位置における各チャネルの階調値を特定することによってリサイズを行う。本実施形態において、上述のエリアイメージセンサー１５における間引きは垂直方向に１／５，水平方向に１／３であるため、図２の矩形１５ａにて示すように間引き後のデータの縦横比はエリアイメージセンサー１５の出力データの縦横比と異なっている。そこで、リサイズ処理部２０ｅは、まず、ラインバッファー５２ｃに記録されたデータに基づいて水平方向に約５７％のサイズに縮小する縮小処理を行う。この結果、水平方向の画素数を１０２４画素とする。さらに、リサイズ処理部２０ｅは、垂直方向に約９５％に縮小する縮小処理を行う。この結果、水平方向に１０２４画素、垂直方向に６８２ラインの画像データを生成する。生成された画像データはラインバッファー５２ｄに線順次で記録される。
【００４１】
本実施形態においては、以上の処理によってエリアイメージセンサー１５の出力データに基づいて液晶パネル４２の被写体像表示領域Ｒ1に表示可能な画像データを生成する生成処理を行うが、エリアイメージセンサー１５の出力データは垂直方向に７２０ラインであり、画像データの垂直方向のライン数である６８２ラインや液晶パネル４２の垂直方向のライン数である７６８ラインとは異なっている。すなわち、１フレーム分の撮影及び表示を行うために必要なライン数が異なっている。
【００４２】
そこで、本実施形態においては、エリアイメージセンサー１５の水平同期信号SHsync、垂直同期信号SVsync、データアクティブ信号SDactiveおよびデータクロック信号SDotclockは、エリアイメージセンサー１５を駆動するために必要な周期に設定される。すなわち、タイミングジェネレーター３０は、エリアイメージセンサー１５において上述のような垂直方向の間引きを行って垂直同期信号SVsyncで規定される期間内に１フレーム分のライン数の出力データを取得できるようなタイミングおよび出力回数で水平同期信号SHsyncを出力している。また、タイミングジェネレーター３０は、以上のような水平方向の間引きを行って水平同期信号SHsyncで規定される期間内に１ライン分の画素数の出力データを取得できるようなタイミングおよび出力回数でデータクロック信号SDotclockを出力している。
【００４３】
一方、当該エリアイメージセンサー１５から線順次に出力される出力データに基づいて遅延期間を最小化して液晶パネル４２における表示を行うため、本実施形態においては、液晶パネル４２の各ラインに対して表示を行うための画像データが準備された時点で水平同期信号DHsyncが出力されるように構成されている。すなわち、本実施形態において液晶パネル４２は、リサイズ処理部２０ｅによる処理が終了したラインの表示を行うことが可能である。そこで、タイミングジェネレーター３０は、液晶パネル４２の垂直方向のＮライン目（Ｎは自然数）の画像データの生成処理が終了した時点でＮライン目の表示を行うための水平同期信号DHsyncを出力する。
【００４４】
具体的には、タイミングジェネレーター３０は、進捗情報取得部３０ａを備えており、当該進捗情報取得部３０ａは、リサイズ処理部２０ｅから当該リサイズ処理部２０ｅにおける画像データの生成処理が終了したラインを示す進捗情報を取得することが可能である。従って、当該進捗情報によれば、画像データに基づいて液晶パネル４２における表示が可能になったラインを特定することが可能である。そこで、タイミングジェネレーター３０が、各ラインの画像データの生成処理が終了したタイミングに同期して水平同期信号DHsyncを出力することにより、液晶パネル４２において当該画像データの生成処理が終了したラインの表示を開始させる構成とする。この構成によれば、画像データの準備が整う前に各ラインの表示を開始することはなく、各ラインの表示準備が整うと即座に各ラインの表示をすることが可能になる。
【００４５】
なお、液晶パネル４２においては、水平同期信号DHsyncの出力タイミングで規定される水平同期期間内に液晶パネル４２の各ラインの画素表示を行うことができればよいため、タイミングジェネレーター３０は、水平同期信号DHsyncの出力タイミングで規定される水平同期期間が最短となる期間として想定される期間内に１ライン分の画素表示を行うことができるようにデータアクティブ信号DDactiveおよびデータクロック信号DDotclockを出力する。
【００４６】
また、本実施形態においては、エリアイメージセンサー１５からの出力データと液晶パネル４２での表示とがフレーム単位で整合しなくなることを防止するため、エリアイメージセンサー１５の垂直同期信号SVsyncと液晶パネル４２の垂直同期信号DVsyncとが同期するように設定されている。すなわち、タイミングジェネレーター３０は、エリアイメージセンサー１５の垂直同期信号SVsyncを出力したタイミングから所定の期間後に表示部４０の垂直同期信号DVsyncを出力する。この結果、本実施形態において垂直同期信号SVsync，DVsyncの周期は同一かつ一定となる。従って、エリアイメージセンサー１５にて撮影された被写体が１フレーム期間以上遅れて液晶パネル４２に表示されることはなく、また、同一タイミングで撮影された被写体の像が複数フレーム期間に渡って液晶パネル４２に表示されることもない。
【００４７】
一方、本実施形態において液晶パネル４２の水平同期信号DHsyncで規定される水平同期期間は可変長であるため、水平同期期間が変化しても垂直同期信号SVsync，DVsyncの周期が同一かつ一定である状態を維持するように構成してある。具体的には、タイミングジェネレーター３０は、予め決められた基準の期間THに対して水平同期期間を長期化あるいは短期化することによって基準の期間THからの時間変動を相殺することによって、１フレームを表示するための垂直同期期間が一定となるように出力信号を制御している。基準の期間THは、例えば、垂直同期期間内に液晶パネル４２の全ライン数について均等な期間で各ラインの表示を行う場合の水平同期期間によって構成される。
【００４８】
そして、被写体像表示領域Ｒ1においては、各ラインの画像データの生成処理が終了するまで水平同期信号DHsyncの出力を待機することで水平同期期間が長期化され得る状態とする。さらに、撮影条件等の情報を示す文字を表示する液晶パネル４２の情報表示領域Ｒ2においては、被写体像表示領域Ｒ1で長期化された水平同期期間と基準の期間THとの差分の累計を相殺するように基準の期間THよりも水平同期期間を短期化する。
【００４９】
図４はこのように構成されたタイミングジェネレーター３０から出力される水平同期信号DHsyncを示しており、データアクティブ信号DDactiveおよびデータクロック信号DDotclock、進捗情報を合わせて示している。なお、本実施形態においてリサイズ処理部２０ｅから出力される進捗情報は、１ライン分の画像データの生成処理を実行している過程においてローレベルの出力が維持され、１ライン分の画像データの生成処理を終了した時点で所定期間ハイレベルとなる１回のパルスによって構成される。
【００５０】
タイミングジェネレーター３０が進捗情報取得部３０ａによって当該進捗情報を取得すると、表示制御部３０ｂの処理により、当該進捗情報のパルスに同期して水平同期信号DHsyncを出力する。このため、仮に、基準の期間TH内に、あるラインの画像データの生成処理が間に合わなかった場合には、生成処理が終了するまで水平同期信号DHsyncが出力されず、水平同期期間TDHは基準の期間THより長くなる。従って、基準の期間TH内に、あるラインの画像データの生成処理が間に合わなかった場合、生成処理が終了するまで液晶パネル４２にて当該ラインの表示は開始されない。また、各ラインの画像データの準備が終了する前に表示がなされることはない。さらに、あるラインの画像データの生成処理が終了すると水平同期信号DHsyncが出力されるため、各ラインの画像データの準備が終了すると遅滞なく表示がなされる。以上のように、本実施形態は、水平同期期間TDHが基準の期間THよりも長くなり得る状態で液晶パネル４２を駆動するため、液晶パネル４２で表示すべき１ライン分の画像データの生成期間がラインごとに変動し得る態様に適用して好適である。このような態様は、エリアイメージセンサー１５のデータ出力処理や画像データ生成部２０による画像データの生成処理の速度がラインごとに相違し得る態様が想定し得る。むろん、撮影条件や撮影に利用するハードウェアに依存して処理速度がラインごとに相違し得る態様に本発明を適用しても良い。例えば、利用者が操作部５５を操作することによってエリアイメージセンサー１５の垂直同期期間や水平同期期間が変動し、あるいは画像データの生成処理に要する期間が変動する構成に対して本発明を適用することが可能である。さらに、着脱式ＥＶＦや着脱式レンズを変更することによってエリアイメージセンサー１５の垂直同期期間や水平同期期間が変動し、あるいは画像データの生成処理に要する期間が変動する構成に対して本発明を適用することが可能である。
【００５１】
以上のように、本実施形態では被写体像表示領域Ｒ1において、リサイズ処理部２０ｅから出力される進捗情報に応じてタイミングジェネレーター３０が水平同期期間TDHを調整する。このため、被写体像表示領域Ｒ1に表示すべき画像データの生成処理の進捗に応じて水平同期信号DHsyncが長期化され得ることとなり、液晶パネル４２の水平同期信号DHsyncで規定される水平同期期間TDHが一定になるとは限らない。一方、上述のように、本実施形態においては垂直同期信号DVsyncで規定される垂直同期期間が一定であるため、被写体像表示領域Ｒ1において水平同期期間TDHが長期化された場合であっても、液晶パネル４２の全ラインの表示が垂直同期期間内に終了するように、タイミングジェネレーター３０は情報表示領域Ｒ2において上述の基準の期間THよりも短い水平同期期間TDH2となるように水平同期信号DHsyncの出力タイミングを設定する。
【００５２】
すなわち、撮影条件の文字等を示す情報データ（以下、ＯＳＤデータと呼ぶ）は、エリアイメージセンサー１５の動作によらず予め作成しＶＲＡＭ５１に記録しておくことが可能であるため、ＯＳＤデータに基づく表示を短い水平同期期間によって実行したとしても、データ読み出しの追い越しを発生させることなく適正な表示を行うことが可能である。そこで、本実施形態においては、エリアイメージセンサー１５の出力データに基づく表示を行うための被写体像表示領域Ｒ1よりも、撮影条件等の情報を示す文字を表示する情報表示領域Ｒ2における水平同期期間が短くなるように設定する。
【００５３】
具体的には、タイミングジェネレーター３０が水平同期信号DHsyncの出力タイミングを調整することにより、被写体像表示領域Ｒ1において長期化された水平同期期間TDHと基準の期間THとの差分の総和と情報表示領域Ｒ2において短期化された水平同期期間TDH2と基準の期間THとの差分の総和とが一致するように水平同期期間TDH2を短期化する。この結果、水平同期期間TDH2＜基準の期間≦水平同期期間TDHとなる。ここで、情報表示領域Ｒ2において、上述の水平同期期間THよりも短い水平同期期間TDH2となるように水平同期信号DHsyncを出力するための構成としては、種々の構成を採用可能である。例えば、図４に示すように、被写体像表示領域Ｒ1にて発生した水平同期期間THに対する遅延ΔT1の総和（ΣΔT1）を情報表示領域Ｒ2のライン数L2で除した値ΔT2を各ラインで短縮すべき期間とする構成等を採用可能である。すなわち、水平同期期間TH−ΔT2が情報表示領域Ｒ2における水平同期期間TDH2であるとする構成等を採用可能である。
【００５４】
以上のように、本実施形態においては、液晶パネル４２の領域毎に調整された水平同期信号に基づいて各領域にて適切な表示を行わせるため、液晶パネル４２の被写体像表示領域Ｒ1および情報表示領域Ｒ2に相当する部分のライン番号が予め決められている。例えば、図２に示す例においては、１〜６８２ラインが被写体像表示領域Ｒ1、６８３ライン〜７６８ラインが情報表示領域Ｒ2である。そこで、タイミングジェネレーター３０は、１〜６８２ラインに相当する被写体像表示領域Ｒ1に対して表示を行う際に、上述の進捗情報に応じたタイミングで水平同期信号DHsyncを出力しつつ、６８３ライン〜７６８ラインに相当する情報表示領域Ｒ2に対して表示を行う際に、上述の基準の期間THよりも短い水平同期期間TDH2となるように水平同期信号DHsyncを出力する。
【００５５】
また、ＡＳＩＣ２００は画像データ出力部２０１を備えており、画像データ出力部２０１は、液晶パネル４２の１〜６８２ラインの表示を行う際に、ラインバッファー５２ｄに記録された画像データ（Data）を表示部４０に対して線順次に出力する。この結果、エリアイメージセンサー１５で撮影された被写体の像が被写体像表示領域Ｒ1に表示される。また、ＣＰＵ５０は、少なくとも情報表示領域Ｒ2での表示を行う以前においてＶＲＡＭ５１に対してＯＳＤデータを記録しておく。そして、画像データ出力部２０１は、液晶パネル４２の６８３ライン〜７６８ラインの表示を行う際に、ＶＲＡＭ５１に記録されたＯＳＤデータを取得し、画像データ（Data）として表示部４０に対して線順次に出力する。この結果、撮影条件等の文字が情報表示領域Ｒ2に表示される。
【００５６】
この構成によれば、被写体像表示領域Ｒ1においては遅延を最小化した状態でエリアイメージセンサー１５にて撮影した被写体を表示しつつ、情報表示領域Ｒ2において短い水平同期期間内でＯＳＤデータによる撮影条件等の情報の表示が行われる状態となる。そして、上述のように、被写体像表示領域Ｒ1において長期化された水平同期期間TDHと基準の期間THとの差分の総和と情報表示領域Ｒ2において短期化された水平同期期間TDH2と基準の期間THとの差分の総和とが一致するように水平同期期間が制御されるため、垂直同期信号SVsync，DVsyncの周期が同一かつ一定の状態で表示部４０による表示を行うことができる。従って、エリアイメージセンサー１５にて撮影された被写体が１フレーム期間以上遅れて液晶パネル４２に表示されることはなく、また、複数フレーム期間に渡って同じ画像が液晶パネル４２に表示されることもない。
【００５７】
（３）他の実施形態：
以上の実施形態は本発明を実施するための一例であり、進捗情報に基づいて画像データの生成処理が終了したか否かをラインごとに特定し、当該生成処理が終了したラインを表示する限りにおいて、他にも種々の実施形態を採用可能である。
【００５８】
例えば、水平同期期間TDHを基準の期間THよりも長期化する際には、水平同期信号DHsyncのバックポーチを長期化しても良い。この構成は、例えば、図１に示す構成にて、進捗情報取得部３０ａにおいてリサイズ処理部２０ｅからの進捗情報の出力期間を検出する構成とする。すなわち、Ｎ−１ライン目の画像データの生成処理が終了した時点で出力される進捗情報からＮライン目の画像データの生成処理が終了した時点で出力される進捗情報までの期間TS(N-1)を検出する。そして、タイミングジェネレーター３０は、当該期間TS(N-1)に基づいてＮライン目の水平同期信号DHsyncのバックポーチの長さを決定して各種の信号を出力する。
【００５９】
すなわち、タイミングジェネレーター３０は、表示制御部３０ｂの処理により、図５に示すように、Ｎライン目の水平同期信号DHsyncを出力した後、期間TS(N-1)の長さから基準の期間THの長さを減じて得られる期間ΔT1が経過した時点でプリチャージ期間を示す信号DHsync2を出力する。さらに、タイミングジェネレーター３０は、表示制御部３００ｂの処理により、当該信号DHsync2を出力した後、所定のプリチャージ期間が経過した時点でDDactiveを出力し、１ライン分の画素数のデータクロック信号DDotclockが出力されるまでDDactiveのレベルを維持した後に所定期間のフロントポーチを設けてＮ＋１ライン目の水平同期信号DHsyncを出力する。ここで、プリチャージ期間の開始時点からフロントポーチの終了時点までの期間は基準の期間THと一致する。従って、Ｎライン目の水平同期信号DHsyncとＮ＋１ライン目の水平同期信号DHsyncとの間の期間である水平同期期間TDHが基準の期間THとΔT1との和となる。この結果、液晶パネル４２にて信号DHsync2に同期してプリチャージや極性反転等を行ってＮラインの表示が可能になるとともに、水平同期期間TDHを基準の期間THよりも長期化することが可能になる。
【００６０】
なお、上述の第１実施形態においては、水平同期信号DHsyncのフロントポーチを長期化していたため、バックポーチ期間は一定の期間とすることができ、通常の規定通りにプリチャージや極性反転等を行う期間を設けることができる。
【００６１】
さらに、上述の実施形態においては、エリアイメージセンサー１５の垂直同期信号SVsyncの周期と液晶パネル４２の垂直同期信号DVsyncの周期とを一致させるため、液晶パネル４２の情報表示領域Ｒ2において被写体像表示領域Ｒ1よりも短い水平同期期間となるように水平同期信号SHsyncを出力したが、他の手法によって垂直同期信号SVsyncの周期と液晶パネル４２の垂直同期信号DVsyncの周期とを一致させても良い。例えば、通常の撮影装置において、エリアイメージセンサー１５のライン数は液晶パネル４２のライン数よりも多いため、特定の垂直同期期間内に確保すべき水平同期期間が均等であると仮定した場合、エリアイメージセンサー１５の水平同期信号SHsyncよりも液晶パネル４２の水平同期信号DHsyncの方が短くなる。従って、液晶パネル４２の水平同期信号DHsyncを長期化した場合であっても、当該長期化によって液晶パネル４２の垂直同期期間を長くする必要が生じることは少ない。なお、水平同期信号DHsyncを長期化することによって液晶パネル４２の垂直同期信号DVsyncがエリアイメージセンサー１５の垂直同期信号SVsyncより長くなる場合、エリアイメージセンサー１５の垂直同期信号SVsyncを長期化して垂直同期信号DVsyncと垂直同期信号SVsyncとを同期させても良い。
【００６２】
さらに、上述の実施形態においては、画像データの生成処理の中のリサイズ処理が終了したか否かをラインごとに示す進捗情報を取得する構成であったが、画像データの生成処理の最終工程がリサイズ処理でない場合でも、最終工程となる処理についての進捗情報を取得するようにすれば良い。また、画像データの生成処理の最終工程の処理時間が無視できるほど高速に処理できたり、一定時間で処理できたりして、最終工程の終了を予測できるのならば、最終工程の前の工程（例えば、処理時間が変動し得る工程）となる処理についての進捗情報を取得するようにすれば良い。さらに、画像データの生成処理において、複数のラインのデータを参照して１ライン分のデータを生成する画像処理工程が含まれる場合に当該工程について進捗情報を取得する構成としても良い。
【００６３】
図６は、複数のラインのデータを参照して１ライン分のデータを生成する複数の画像処理工程について進捗情報を取得する構成を備えた撮影装置１を示す図である。図６において、図１と同様の構成は同様の符号で示している。図６に示す撮影装置１のタイミングジェネレーター３００は、エリアイメージセンサー１５からの出力データの出力が完了したラインおよび画像データ生成部２０の色再現処理部２０ｂ、ガンマ補正部２０ｄ、リサイズ処理部２０ｅのそれぞれにおけるデータの生成処理が終了したラインを示す進捗情報を取得することが可能である。また、タイミングジェネレーター３００は、表示制御部３００ｂの処理により、画素補間部２０ａ、フィルター処理部２０ｃ、リサイズ処理部２０ｅのそれぞれに対して１ライン分のデータの生成処理を開始させるためのトリガー信号（例えば、水平同期信号）を出力することが可能である。
【００６４】
すなわち、図６に示す実施形態においては、エリアイメージセンサー１５からＫライン目の出力データが出力されると画素補間部２０ａにおいてＬライン目のデータの処理を実行可能になり、画素補間部２０ａおよび色再現処理部２０ｂによる線順次の処理の結果、Ｌライン目のデータの処理が終了するとフィルター処理部２０ｃにおいてＭライン目のデータの処理を実行可能になることが予め特定される。また、フィルター処理部２０ｃおよびガンマ補正部２０ｄによる線順次の処理の結果、Ｍライン目のデータの処理が終了するとリサイズ処理部２０ｅにおいてＮライン目の画像データの生成処理が開始可能になることが予め特定される。
【００６５】
そして、タイミングジェネレーター３００は、タイミングジェネレーター３００が出力する規定の周期の水平同期信号SHsyncに基づいてエリアイメージセンサー１５からＫライン目の出力データが出力されたことを特定する。エリアイメージセンサー１５からＫライン目の出力データが出力されたことが特定された場合、タイミングジェネレーター３００は、画素補間部２０ａに対してトリガー信号を出力してＬライン目のデータ処理を開始させる。さらに、進捗情報取得部３００ａによって色再現処理部２０ｂにおいてＬライン目のデータの処理が終了したことが特定された場合に、タイミングジェネレーター３００は、フィルター処理部２０ｃに対してトリガー信号を出力してＭライン目のデータ処理を開始させる。さらに、進捗情報取得部３００ａによってガンマ補正部２０ｄにおいてＭライン目のデータの処理が終了したことが特定された場合に、タイミングジェネレーター３００は、リサイズ処理部２０ｅに対してトリガー信号を出力してＮライン目の画像データの生成処理を開始させる。
【００６６】
そして、リサイズ処理部２０ｅによってＮライン目の画像データの生成処理が終了したことが特定されると、タイミングジェネレーター３００は、上述の実施形態と同様にＮライン目の表示を行うための水平同期信号DHsyncを出力する。すなわち、画像データ生成部２０において、２以上のラインのデータをラインバッファーに対して記録した後にあるラインのデータの生成が開始可能な画像処理工程においては、最低限必要なライン数のデータの生成処理が終了したか否かを判定し、当該生成処理が終了した時点で次の画像処理工程を開始する。この構成により、各工程を実行するために必要なデータの準備が整う前に各ラインについての処理を開始することはなく、各ラインのデータが整うと即座に各ラインについて処理を開始することが可能になる。この結果、各画像処理工程を実行する際の待ち時間が最小化される。なお、本実施形態においては、最低限必要なライン数のデータをラインバッファー５２ａ〜５２ｄに一時記録すればよいため、ラインバッファー５２ａ〜５２ｄの容量を最小化することが可能である。
【００６７】
さらに、上述の実施形態において表示部４０は液晶パネルを用いたＥＶＦであったが、表示部４０はＥＶＦ以外の表示部、例えば、撮影装置１の背面に取り付けられる液晶パネルを用いた表示部であっても良いし、液晶パネル以外の方式を用いたものであっても良い。また、撮影装置１はミラーを備えた一眼レフカメラでも良く、さらにムービーカメラであっても良いし、撮影機能を備えた携帯電話等の装置であっても良い。さらに、上述のエリアイメージセンサー１５において、カラーフィルターはベイヤー配列であったが、ベイヤー配列以外の配列で構成されたセンサーを利用した撮影装置に本発明を適用しても良い。さらに、ラインバッファー５２ｄはラインバッファーでも良いが、１フレーム分の画像データを記録するための記録容量を備えるＶＲＡＭであってもよい。この構成によれば、表示対象となる画像データに基づく各種処理を行うことが可能になる。さらに、水平同期期間は基準の期間に対して長期化されれば良く、当該基準の期間としては、各種の期間を想定可能である。例えば、エリアイメージセンサー１５の水平同期信号SHsyncの周期、画像データの生成周期などを基準の期間としてもよい。さらに、タイミングジェネレーター３０から表示部４０への各種信号の転送形態は種々の形態を採用可能であり、HDMI（High-Definition Multimedia Interface）等によって転送しても良い。また、上述の実施形態における方向を逆にしてもよく、例えば水平方向において、左から右に表示しても、右から左に表示しても良い。
【００６８】
さらに、ＯＳＤデータは表示部の情報表示領域において表示対象となる所定の情報を示した画像データであれば良く、撮影条件以外の各種情報、例えば、撮影装置１に搭載されたバッテリーの残量を示す情報等を表示対象となる所定の情報とする構成としても良い。さらに、垂直同期信号SVsync，DVsyncの周期が同一かつ一定の状態とするための構成は、上述の構成以外にも種々の構成を採用可能である。例えば、被写体像表示領域Ｒ1における表示を行った後、情報表示領域Ｒ2でＯＳＤデータを表示するために設定可能な最小の期間を情報表示領域Ｒ2における水平同期期間とすることによって垂直同期信号DVsyncの出力タイミング以前に液晶パネル４２の全ラインの表示を終了し、残余の期間待機した後に規定の出力タイミングで垂直同期信号DVsyncが出力されるように構成してもよい。
【００６９】
さらに、上述の実施形態においては、被写体像表示領域と情報表示領域とがそれぞれ１個ずつであって被写体像表示領域が液晶パネル４２の上部、情報表示領域が液晶パネル４２の下部に配置されていた。このため、上述の実施形態においては、被写体像表示領域の上端のラインから下端のラインに向けて線順次で表示を行った後、続けて情報表示領域の上端のラインから下端のラインに向けて線順次で表示を行うことが可能である。上述の実施形態においては、この構成を利用して、後に表示を行う情報表示領域におけるライン表示期間を決定した。
【００７０】
このように、情報表示領域における表示を被写体像表示領域における表示よりも後に実行することによって当該情報表示領域におけるライン表示期間を決定可能にする構成は、被写体像表示領域が垂直方向に連続した１つの領域であるか否かによらず実現可能である。すなわち、１フレーム分の表示を行う際に、被写体像表示領域の一方の端に位置するラインから線順次に表示を行い、被写体像表示領域の他方の端に位置するラインの表示後、当該被写体像表示領域の他方の端に隣接するラインから情報表示領域の各ラインを線順次に表示する構成が可能である。
【００７１】
例えば、液晶パネル４２の上端と下端に情報表示領域が設けられ、上下の情報表示領域の間に被写体像表示領域が設けられている構成を想定する。この構成であっても、以下の順序で表示を行えば、情報表示領域におけるライン表示期間を容易に決定することが可能である。すなわち、液晶パネル４２の上端ではなく被写体像表示領域の上端から表示を開始し、被写体像表示領域の下端まで表示を行う。さらに、被写体像表示領域の下端に隣接する情報表示領域のラインについて表示を行って、以下下方に向けて線順次に行う。液晶パネル４２の下端まで表示を行うと、さらに、液晶パネル４２の上端から残りの情報表示領域の下端まで線順次に表示を行えばよい。
但し、表示順や情報表示領域におけるライン表示期間の決定はこのようにするものには限られない。例えば、液晶パネル４２の上端と下端に情報表示領域が設けられ、上下の情報表示領域の間に被写体像表示領域が設けられている構成で液晶パネル４２の上端から表示を開始し、液晶パネル４２の下端側の情報表示領域のライン表示期間を、上端側のライン表示期間と被写体像表示領域のライン表示期間とに基づいて決定するようにしても良い。
【符号の説明】
【００７２】
１…撮影装置、１０…光学系、１１…レンズ、１２…絞り、１３…シャッター、１４…ローパスフィルター、１５…エリアイメージセンサー、２０…画像データ生成部、２０ａ…画素補間部、２０ｂ…色再現処理部、２０ｃ…フィルター処理部、２０ｄ…ガンマ補正部、２０ｅ…リサイズ処理部、２０ｆ…画像データ出力部、３０…タイミングジェネレーター、３０ａ…進捗情報取得部、３０ｂ…表示制御部、４０…表示部、４１…液晶パネルドライバー、４２…液晶パネル、５２ａ…ラインバッファー、５２ｂ…ラインバッファー、５２ｃ…ラインバッファー、５２ｄ…ラインバッファー、５５…操作部。
【図１】
0005582229.tif 000002
【図２】
0005582229.tif 000003
【図３】
0005582229.tif 000004
【図４】
0005582229.tif 000005
【図５】
0005582229.tif 000006
【図６】
0005582229.tif 000007